(57)【特許請求の範囲】
【請求項１】
カセットテープ再生装置において再生されるカセットテープと互換的に装着され得る形状を有するハウジング、
前記ハウジングに内蔵され、前記カセットテープ再生装置のカセットテープ再生用の再生ヘッドに対向して配置されて、前記再生ヘッドに対して信号伝送を行う信号出力用の磁気ヘッド、
前記カセットテープ再生装置のリール駆動機構により駆動されるリールハブを有する２つのリール、
前記リールの回転方向を一方向に規定し、前記磁気ヘッドが前記再生ヘッドへ信号を伝送し得る位置のとき前記リールの回転を許容し、前記磁気ヘッドが前記再生ヘッドへ信号を伝送し得ない位置のとき前記リールの回転を禁止する逆回転防止用ストッパー手段、を具備し、
前記逆回転防止用ストッパー手段が、
前記２つのリールのそれぞれの外周に形成したギヤに噛合して前記２つのリールを連動させるギヤを有する中間リール、
前記中間リールのハブ部に一定の回転トルク以上の力が付加されたとき摺動するよう圧入嵌合されたストッパー片と、
前記ストッパー片の可動範囲の一方を規定するストッパーとを備え、
前記ストッパー片が可動範囲においては前記中間リールと共に回動し、前記ストッパー片が可動範囲の一方の終端であるストッパーに当接したとき前記中間リールのハブ部を摺動して前記中間リールの回転を許容し、前記ストッパー片が可動範囲の他方の終端である前記リールのギヤと係合することにより前記リールの回転を禁止するよう構成されたカセットアダプタ。
【請求項２】
前記ハウジングが前記カセットテープ再生装置のキャプスタン及びピンチローラが挿入される開口を有し、
キャプスタン及びピンチローラが挿入される前記ハウジングの開口内を通って前記リールに所定の張力を持って掛け回され、前記キャプスタン及びピンチローラによって実質的に一定速度で駆動されるエンドレスの前記疑似テープを具備する請求項１記載のカセットアダプタ。
【発明の詳細な説明】
【０００１】
【発明の属する技術分野】
本発明は、車載用等のカセットテープ再生装置において用いられるコンパクトカセットテープ（以下、カセットテープと略称する）以外の記録媒体からの信号を外部機器より入力するためのカセットアダプタに関するものである。
【０００２】
【従来の技術】
車載用のオーディオ機器のなかでカセットテープ再生装置はラジオチューナーと共に最もポピュラーな音響機器として多くの車に搭載されている。近年コンパクトディスク（ＣＤ）の普及と共にコンパクトディスク再生装置は車載用高級音響機器として需要を拡大してきている。しかし、コンパクトディスク再生装置は新車の標準装備の中に含まれないと追加して搭載しにくかった。且つ、コンパクトディスク再生装置はカセットテープ再生装置に比べると高価である。このため、車載用としてのコンパクトディスク再生装置はその普及が妨げられていた。
【０００３】
このため、コンパクトディスク再生装置が装備されていない車においてコンパクトディスクからの音楽等を聴く場合には、ポータブルのコンパクトディスク再生装置を車内に持ち込み、このコンパクトディスク再生装置を車載用音響機器のカセットテープ再生装置に接続してコンパクトディスクを再生していた。一般に、車載用音響機器には増設用の入力端子等が設けられていないため、コンパクトディスク再生装置から車載用音響機器への信号の出力手段としてカセットアダプタを用いる信号出力方法が採用されている。このカセットアダプタを用いる信号出力方法では、コンパクトディスク再生装置からの出力信号をカセットタイプの出力ユニットであるカセットアダプタに入力する。そして、このカセットアダプタを車載用音響機器であるカセットテープ再生装置のカセットテープ挿入口に挿入する。それによって、ポータブルのコンパクトディスク再生装置の出力信号をカセットアダプタを経由して車載用音響機器へ入力していた。
【０００４】
上述のような従来技術として、日本の公報、特公平４−５６３９１号の公報に開示された方法がある。
図１４は、特公平４−５６３９１号の公報に開示された従来のカセットアダプタを示す平面図である。図１４に示すカセットアダプタ１１０のハウジング１１２は、カセットテープのハウジング（カセットケース）とほぼ同じ形状を持っている。このカセットハウジング１１２の前面（図１４における下側の面）の開口１２６には２チャンネルの磁気ヘッド１４０が設けられている。ハウジング１１２の切り欠き１４６からは２芯の導線１４２が引き出されている。この導線１４２の一端はハウジング１１２内のオーディオ回路に接続され、導線１４２の他端にはプラグ１４４が設けられている。このプラグ１４４は、図示しないコンパクトディスク再生装置のヘッドホンジャックに接続されるよう構成されている。図１５はハウジング１１２内に設けられているオーディオ回路を示す電気回路図である。
【０００５】
上記のように構成された従来のカセットアダプタ１１０を用いてコンパクトディスクの音楽等を車内で聴く場合には、導線１４２の他端のプラグ１４４をコンパクトディスク再生装置のヘッドホンジャックに接続する。次に、カセットアダプタ１１０を車に搭載されているカセットテープ再生装置のカセットテープ挿入口に挿入する。カセット挿入口に装着されたカセットアダプタ１１０の磁気ヘッド１４０は、カセットテープ再生装置の再生ヘッドと対向する。このような状態で、コンパクトディスク再生装置を再生状態とすると、コンパクトディスク再生装置の出力信号は導線１４２を介して図１５に示したオーディオ回路に入力され、磁気ヘッド１４０に送り込まれる。磁気ヘッド１４０はカセットテープ再生装置の再生ヘッドと対向しているため、磁気ヘッド１４０に入力された信号が漏洩してカセットテープ再生装置の再生ヘッドに伝送される。
【０００６】
【特許文献１】
特公平４−５６３９１号の公報
【０００７】
【発明が解決しようとする課題】
上記のように構成された従来のカセットアダプタを用いてコンパクトディスクを再生する場合、信号を出力するカセットアダプタの磁気ヘッドとその信号を受けるカセットテープ再生装置の再生ヘッドとの間における相互のヘッドギャップが最も接近したとき最も効率よく信号の伝送が行われる。しかし、双方のヘッドの中心がテープ走行方向においてずれている場合には、信号伝送の効率が大きく低下する。また、テープ走行トラックの幅方向の位置を決定する双方のヘッドコアの高さが一致していないと、信号伝送の効率が低下するだけでなく、たとえば左チャンネルの伝送側の磁気ヘッドが右チャンネルの再生ヘッドに近づくと左チャンネルからの再生音が右チャンネルにクロストークするなどの問題があった。
【０００８】
車載用のカセットテープ再生装置を含む一般的なカセットテープ再生装置においては、リールの回転動作を検出する回転検出器及びテープの存在を検出するテープ検出器が設けられている。これらの回転検出器やテープ検出器は、装着したカセットテープの磁気テープが切れたときにも動作状態を続けたり、テープ走行の異常によりキャプスタン等の回転体にテープが巻き付きカセットテープが取り出せなくなるといった事故を防止するために設けられている。このような検出器を有するカセットテープ再生装置は、リールの回転動作が停止したときや、テープが所定の位置に存在しなくなったとき、テープが切れていると判断して、装置を自動停止し、もしくはカセットテープを自動吐き出しする。従来のカセットアダプタにおいては、このような自動停止や自動吐き出し状態となるのを防ぐため、テープリールを常に回転させるよう構成したり、テープリールに制動を掛けてテープリールが空転状態でないことを示す等の種々の試みがなされていた。
【０００９】
車載用のカセットテープ再生装置を含む一般的なカセットテープ再生装置には、オートリバース機構が多く用いられている。このオートリバース機構は、一方のトラックを再生中にテープが終端となり、テープが同じ方向へ走行できなくなったとき、テープ走行方向を反転させて引き続き他方のトラックの再生を続けるよう構成されている。このようなオートリバース機構を有するカセットテープ再生装置においては、たとえば再生ヘッドとして４トラックヘッドを用い、往行時には下側の２トラックを使用し、復行時には上側の２トラックを使用するように構成したものがあった。
また、たとえば再生ヘッドとして２トラックヘッドを用い、テープ終端を検出するとヘッドが半回転して反転時のトラック位置にヘッドコアを移動させるように構成したカセットテープ再生装置があった。そのようなオートリバース機構を有するカセットテープ再生装置にカセットアダプタを対応させるには、カセットアダプタの磁気ヘッドに４トラックヘッドを用いるか、又は、２トラックの磁気ヘッドを反転させるといった機構を用いる必要があった。しかしながら、カセットアダプタの磁気ヘッドに４トラックヘッドを用いた場合には、カセットアダプタが高価となるという問題があった。また、ヘッドを反転させるような機構をカセットアダプタ内に設けることは事実上不可能であった。
【００１０】
このため、従来のカセットアダプタにおいては、２トラックのヘッドコアを有する磁気ヘッドを用いたものがほとんどであった。したがって、従来のカセットテープ再生装置にカセットアダプタを挿入したとき、そのときのテープ走行方向もしくはカセットアダプタの装着方向により再生ヘッドのトラック位置がカセットアダプタの信号出力用の磁気ヘッドのトラック位置と異なっている場合がある。この場合には、カセットアダプタの信号出力用磁気ヘッドからカセットテープ再生装置の再生ヘッドへ信号伝送ができないため、カセットテープ再生装置に接続されたスピーカから音楽等は出力されなかった。このような時、カッセットテープ再生装置は再生状態にも関わらずスピーカから音声等が聞こえないため、カセットアダプタの故障と判断されることがあった。
【００１１】
本発明の目的は、カセットアダプタにおけるリールの空転状態を防ぎ、リールを確実に回転させる手段を有するカセットアダプタを提供することである。
本発明の他の目的は、オートリバース機構を有するカセットテープ再生装置において、カセットアダプタの磁気ヘッドのトラックの位置がカセットテープ再生装置の再生ヘッドのトラックの位置と異なる場合にはテープ走行方向を逆転させて、カセットアダプタの磁気ヘッドのトラックの位置と再生ヘッドのトラックの位置とを一致させうるカセットアダプタを提供することである。
【００１２】
【課題を解決するための手段】
前述の目的を達成するために、本発明のカセットアダプタは、カセットテープ再生装置において再生されるカセットテープと互換的に装着され得る形状を有するハウジング、
前記ハウジングに内蔵され、前記カセットテープ再生装置のカセットテープ再生用の再生ヘッドに対向して配置されて、前記再生ヘッドに対して信号伝送を行う信号出力用の磁気ヘッド、
前記カセットテープ再生装置のリール駆動機構により駆動されるリールハブを有し、外周にギヤが形成された２つのリール、
前記リールの回転方向を一方向に規定し、前記磁気ヘッドが前記再生ヘッドへ信号を伝送し得る位置のとき前記リールの回転を許容し、前記磁気ヘッドが前記再生ヘッドへ信号を伝送し得ない位置のとき前記リールの回転を禁止する逆回転防止用ストッパー手段、を具備し、
前記逆回転防止用ストッパー手段が、
前記２つのリールのそれぞれの外周に形成したギヤに噛合して前記２つのリールを連動させるギヤを有する中間リール、
前記中間リールのハブ部に一定の回転トルク以上の力が付加されたとき摺動するよう圧入嵌合されたストッパー片と、
前記ストッパー片の可動範囲の一方を規定するストッパーとを備え、
前記ストッパー片が可動範囲においては前記中間リールと共に回動し、前記ストッパー片が可動範囲の一方の終端であるストッパーに当接したとき前記中間リールのハブ部を摺動して前記中間リールの回転を許容し、前記ストッパー片が可動範囲の他方の終端である前記リールのギヤと係合することにより前記リールの回転を禁止するよう構成されている。
このように構成された本発明のカセットアダプタは、このカセットアダプタをオートリバース機構を有するカセットテープ再生装置に装着した場合において、信号出力用の磁気ヘッドがカセットテープ再生装置の再生ヘッドへ信号を伝送できない位置にあるとき、自動的にカセットアダプタにおけるリールの回転を禁止してテープ走行方向を逆転させ、信号出力用の磁気ヘッドをカセットテープ再生装置の再生ヘッドへ信号伝送可能な位置に配置する。
【００１３】
上記のように構成された本発明のカセットアダプタがオートリバース機構を有するカセットテープ再生装置に装着されたとき、再生ヘッドのトラックの位置が磁気ヘッドのトラックの位置と一致していない場合、本発明のカセットアダプタはカセットテープ再生装置に対してリールの回転を禁止してテープ走行方向を反転させて、再生ヘッドを磁気ヘッドから信号伝送可能な位置に自動的に配置させる。
【００１４】
本発明の他の観点のカセットアダプタは、前記ハウジングが前記カセットテープ再生装置のキャプスタン及びピンチローラが挿入される開口を有し、
キャプスタン及びピンチローラが挿入される前記ハウジングの開口内を通って前記リールに所定の張力を持って掛け回され、前記キャプスタン及びピンチローラによって実質的に一定速度で駆動されるエンドレスの前記疑似テープを具備している。
このように構成された本発明のカセットアダプタは、エンドレスの疑似テープがカセット再生装置のキャプスタン及びピンチローラによってほぼ一定速度で駆動される。その駆動方向が磁気ヘッドからカセットテープ再生装置の再生ヘッドへ信号を伝送し得る両ヘッドの相対位置関係のとき、リールの回転動作が許容される。
【００１５】
従って、疑似テープはほぼ一定速度で駆動されているため、疑似テープと滑動せず連動するリールは空転することがない。このため、カセットアダプタが装着されたカセットテープ再生装置は、磁気テープが切れたと判断して自動停止又は自動吐き出しすることがない。
発明の新規な特徴は添付の請求の範囲に特に記載したものに他ならないが、構成及び内容の双方に関して本発明は、他の目的や特徴と共に、図面と共同して理解されるところの以下の詳細な説明から、より良く理解され評価されるであろう。
【００１６】
【発明の詳細な説明】
以下、本発明のカセットアダプタの好適な実施例について添付の図面を用いて説明する。
《第１の実施例》
図１は本発明の第１の実施例のカセットアダプタの表側ケースを取り外し、裏側ケースの内部の構成を示す平面図である。図２は図１と同じく第１の実施例のカセットアダプタの裏側ケースの内部の構成を示す斜視図である。図３は第１の実施例のカセットアダプタの分解斜視図である。
【００１７】
[カセットアダプタの構成]
第１の実施例のカセットアダプタ１のハウジング１２０は、裏側ケース２と表側ケース４を結合することにより形成されている。裏側ケース２及び表側ケース４は、左右の２個のリール軸用の孔６，８、キャプスタン挿入用の孔１０，１２等を有しており、一般的なカセットテープと同じ形状を有している。
図１に示すように、結合された裏側ケース２と表側ケース４には、３本のピン１４が植立されており、ピン１４により３個のテープローラ１６ａ，１６ｂ，１６ｄは軸支されている。また、磁気ヘッド５８の両側には２本のピン１８が植立されており、各ピン１８によりテープローラ２０ａ，２０ｂが軸支されている。
【００１８】
図２及び図３に示すように、ハウジング１２０内の左右に設けられた中空の２個のリール２４，２６には、その外周にクロロプレンゴム又はシリコンゴム等でで形成されたすべり防止のリールゴム２２取り付けられている。各リール２４，２６の内側にはリール回転軸に平行に突出した３個の突起２４ａ，２６ａ（図３参照）が形成されており、これらの突起２４ａ，２６ａは各リール２４，２６の内側に装着されるリールハブ２８，３０と係合するよう構成されている。
リール２４，２６の内側に装着されるリールハブ２８，３０の外周面とリール２４，２６の内側の面との間には多少の隙間を有しており、各リールハブ２８，３０の外周面には、挿入される突起２４ａ，２６ａと対応する位置に３個の切り欠き２８ａ，３０ａが形成されている。
【００１９】
このカセットアダプタ１が装着されるカセットテープ再生装置のリール軸（図示なし）からの駆動力がリール２４，２６に円滑に伝達するように、リール２４，２６の内側のスペース２４ｂ，２６ｂ内に装着されるリールハブ２８，３０のそれぞれの内周面には６個の突起２８ｂ，３０ｂがそれぞれ形成されている。リールハブ２８，３０の内周面に形成された突起２８ｂ，３０ｂは、リール２４，２６の回転軸方向及び半径方向に多少の遊びを有しており、カセットテープ再生装置のリール軸からの駆動力がリール２４，２６に円滑に伝達されるように形成されている。
【００２０】
リールハブ２８，３０が装着されたリール２４，２６は、裏側ケース２の孔６，８の周囲に形成されたリブ３４，３６の外周面とリール２４，２６の内周面２４ｃ，２６ｃとが係合して、回転自在に支えられている。
図３に示すように、右側のリール２６の外周に設けられているテンションレバー３８は、裏側ケース２に形成された３個のリブ４０により回動自在に支持されている。また、テンションレバー３８は、左側リール２４と右側のリール２６の間に植立したピン４２により、テンションレバー３８の左端のローラ１６ｃが軸支されている。テンションレバー３８の右側にはテンションスプリング４４が設けられており、このテンションスプリング４４によりテンションレバー３８を時計方向に回動するよう付勢している。
【００２１】
上記のように構成されたハウジング１２０の内部にはエンドレスの疑似テープがリール２４，２６、ローラ１６ａ，１６ｂ，１６ｃ，２０ａに掛け回わされている。
疑似テープ４６は厚さ４０〜８０ミクロンのポリエチレンテレフタレート等の材質により形成されたエンドレスのテープであり、通常用いられているカセットテープと同じ幅を有している。図２に示したように、疑似テープ４６は左側のリール２４の外周に反時計方向に巻き付いた後、ローラ１６ａに時計方向に巻き付き、ローラ１６ｂ，２０ａに反時計方向に巻き付き、ローラ１６ｃに時計方向に巻き付き、ローラ２０ｂ，１６ｄ及び右側のリール２６の外周に反時計方向に巻き付き、そして左側のリール２４の外周に戻るように掛け回されている。
【００２２】
テンションレバー３８の左端のローラ１６ｃは、テンションスプリング４４の付勢力によっての上方（図１のＸ２方向）へ押し上げられているため、このローラ１６ｃに掛け回された疑似テープ４６には一定の張力を与えられている。
図１に示すように、疑似テープ４６は、一般的なカセットテープの磁気テープと同じように、キャプスタン挿入用の孔１０，１２及びピンチローラ挿入用開口６４ｂ，６４ｃを通るよう配置されている。このため、疑似テープ４６は、カセットアダプタ１が装着されるカセットテープ再生装置のキャプスタンとピンチローラに狭持され、キャプスタンの駆動によりほぼ一定速度で図１の右方向に送り出されるよう構成されている。カセットアダプタ１がカセットテープ再生装置に装着されたときの動作の詳細については後述する。
【００２３】
図４は第１の実施例のカセットアダプタ１における磁気ヘッド５８を保持するヘッドカバー５４の構成を示す斜視図である。ヘッドカバー５４は裏側ケース２の前面側（図１における下側）に配置されており、このヘッドカバー５４の両端には一定の長さを有するダミーテープ片５０，５２が一体的に形成されている。ヘッドカバー５４の内部には、台座５６（図５）を介して磁気ヘッド５８が固定されている。磁気ヘッド５８の固定されている位置は、ヘッドカバー５４の両端に形成されたダミーテープ片５０，５２の延長上に磁気ヘッド５８のヘッドコア５８ａ，５８ｂが配置されている。言い換えれば、ダミーテープ片５０，５２と磁気ヘッド５８との位置関係は、一般的なカセットテープにおける磁気テープと磁気ヘッドとの位置関係と実質的に同じである。
【００２４】
第１の実施例における、ダミーテープ片５０，５２の形状は、その幅がカセットテープ再生装置に用いられる一般的なカセットテープの磁気テープの規格における許容寸法内に設定されている。従って、カセットテープ再生装置にカセットアダプタ１が装着されたとき、ダミーテープ片５０，５２は磁気テープの規格内に形成されているため、再生ヘッドのテープガイドに確実に保持される。また、ダミーテープ片５０，５２の上下端面にはそれぞれテーパー部５０ａ，５２ａが形成されているため、ダミーテープ片５０，５２はカセットテープ再生装置のテープガイドに挿入されやすい形状を有している。
図４に示すように、ヘッドカバー５４の前面には凹状の２つのヘッドガイド６６，６８が形成されており、各ヘッドガイド６６，６８の再生ヘッドと対向する面は適度な曲率半径を持って形成されている。２つのヘッドガイド６６，６８の間は開口しており、この開口には磁気ヘッド５８の前面中央部のヘッドコア５８ａ，５８ｂが配置されている。磁気ヘッド５８は、ヘッドコア５８ａ，５８ｂの位置がダミーテープ片５０，５２の延長上となるように配置されている。
【００２５】
ヘッドガイド６６，６８の再生ヘッドと対向する面に形成された曲面の曲率半径は、このカセットアダプタ１が挿入されるカセットテープ再生装置の再生ヘッドの前面の曲率半径よりやや大きく設定されている。ヘッドガイド６６，６８は、その曲面が再生ヘッドと当接した時、磁気ヘッド５８の中心線と相手の再生ヘッドの中心線が一致するようにガイドするものである。このように、ヘッドガイド６６，６８は、磁気ヘッド５８と再生ヘッドの両者間のヘッドギャップをなるべく小さくするために設けられている。
カセットテープ再生装置の再生ヘッドの曲率半径は、機種や商品により適宜設定され異なるため、予想される最大の曲率半径のものに対応できるよう第１の実施例のヘッドガイド６６，６８の前面に形成される曲面の曲率半径は設定されている。このように構成されているため、カセットアダプタ１の磁気ヘッド５８は再生ヘッドと確実に対向し、所定のヘッドギャプ以下となる。
なお、第１の実施例の磁気ヘッド５８は、カセットアダプタ１が装着されるカセットテープ再生装置の再生ヘッドと同じトラック構成のものである。
【００２６】
ここで、磁気ヘッド５８をヘッドカバー５４に固定する方法について説明する。
図５は第１の実施例のカセットアダプタ１における磁気ヘッド５８とヘッドカバー５４を示す分解斜視図である。
図５において、磁気ヘッド５８が金属製のシールドケースに収められている場合、まず金属製の台座５６の所定の位置にスポット溶接で取り付ける。そのスポット溶接の後、磁気ヘッド５８におけるヘッドコア５８ａ，５８ｂのシールドケースの底面からの高さを測定して、磁気ヘッド５８をヘッドカバー５４に収めたとき、ヘッドコア５８ａ，５８ｂの位置が規定の位置になるように台座５６の両端を折り曲げて高さ調整を行う。
次に、台座５６をヘッドカバー５４内に挿入し、台座５６の孔５６ａ，５６ｂをヘッドカバー５４に植立されているテーパーピン５４ａ，５４ｂに押し込み、固着する。このようにして、台座５６はヘッドカバー５４内の所定の位置に固定され、磁気ヘッド５８はヘッドカバー５４内に固定される。
このようにヘッドカバー５４内に固定された磁気ヘッド５８の位置は、ヘッドカバー５４のダミーテープ片５０，５２の代わりに磁気テープが存在したと仮定したとき、ヘッドコア５８ａ，５８ｂが磁気テープに対してテープ幅方向とテープ走行方向において所定の位置となり、かつ、ヘッドコア５８ａ，５８ｂと磁気テープとの間のギャップが所定の距離となるように設定されている。
【００２７】
磁気ヘッド５８の固定方法は上記の方法に限定されず、たとえば上記のようなテーパーピン５４ａ，５４ｂをヘッドカバー５４に形成せず、磁気ヘッド５８が固定された台座５６の下に曲げた板ばねを配置し、台座５６の孔５６ａ，５６ｂにビスを通してヘッドカバー５４の底板に台座５６を締め付けて固定しても良い。この場合、ビスの締め付ける程度によって磁気ヘッド５８の高さを変えて、ダミーテープ片５０，５２に対する磁気ヘッド５８のヘッドコア５８ａ，５８ｂの高さを調節する。このように調整した後、ビスには弛み止めの固定剤が塗られる。
さらに別の固定方法としては、厚さの異なるスペーサから所望の厚さのスペーサを選択し、そのスペーサを磁気ヘッド５８が固定された台座５６とヘッドカバー５４との間に挟んで、磁気ヘッド５８をヘッドカバー５４に固定する。
【００２８】
以上のように、第１の実施例における磁気ヘッド５８とヘッドカバー５４を固定する場合、磁気ヘッド５８をヘッドカバー５４に取り付けたとき、磁気テープを想定したダミーテープ片５０，５２の延長上のテープ幅内の位置にヘッドコア５８ａ，５８ｂが配置され、磁気ヘッド５８と再生ヘッドとの間のヘッドギャップが規格に定められた所定の相対距離内にあればよい。
なお、第１の実施例の磁気ヘッド５８の前面には、再生ヘッドと当接したときに傷が付かないように、ヘッドコア５８ａ，５８ｂを保護する保護シート８０が貼り付けられている。
【００２９】
上記のように形成されたヘッドカバー５４は、ハウジング１２０の内部においてヘッドスプリング６２（図２）により上下左右にある程度移動可能に保持されている。裏側ケース２には３つのピン６０ａ，６０ｂ，６０ｃが植立されており、ヘッドスプリング６２に形成された孔６２ａは、そのうち中央のピン６０ａによって貫通されて保持されている。また、左右のピン６０ｂ，６０ｃは、ヘッドスプリング６２の左側面と右側面とを支持しており、ヘッドスプリング６２の左右の動きを規制している。
【００３０】
ヘッドスプリング６２には３つのばね片６２ｂ，６２ｃ，６２ｄがヘッドカバー５４を保持するために設けられている。図２に示すように、ヘッドカバー５４の背面にはヘッドスプリング６２の２つのばね片６２ｂ，６２ｃの先端が当接しており、ヘッドカバー５４を前面側（図１の下方）へ押圧している。すなわち、ヘッドスプリング６２のばね片６２ｂ，６２ｃは、ヘッドカバー５４をハウジング１２０の前面の開口６４ａの方向（図１の矢印Ｘ１方向）に付勢している。このように付勢されているヘッドカバー５４は裏側ケース２の前面側に形成された突起６５により、その飛び出しが防止されている。また、ヘッドスプリング６２のばね片６２ｄは、ヘッドカバー５４の上面に当接しており、ヘッドカバー５４を裏側ケース２側に押し付けるよう、図２の矢印Ｚ１の方向に付勢している。
【００３１】
上記のように磁気ヘッド５８を有するヘッドカバー５４は、ヘッドスプリング６２の３つのばね片６２ｂ，６２ｃ，６２ｄにより移動可能に弾性的に保持されている。
上記のように磁気ヘッド５８を組み込んだヘッドカバー５４は、その他の部品とともに裏側ケース２に取り付けられ、表側ケース４が被せられる。第１の実施例のカセットアダプタ１は、その内部の部品が表側ケース４と裏側ケース２との間に狭持され、図示しないねじ等で固定されることによって組み立てられる。このように組み立てられたカセットアダプタ１は、ヘッドカバー５４のダミーテープ片５０，５２が通常のカセットテープにおいて磁気テープが走行すべき位置に配置されている。
【００３２】
図１及び図２に示したカセットアダプタ１内の電気回路基板７０は、コンパクトディスク再生装置等の外部機器から入力された信号を磁気ヘッド５８に与えるためのオーディオ回路を有している。また、電気回路基板７０には先端にプラグの付いた導線（図示なし）が前述の従来技術と同様に接続されている。この導線は、図１に示す裏側ケース２の左側の導線導出口２ａ、又は右側の導線導出口２ｂから導出できるように構成されている。２つの導線導出口２ａ，２ｂが準備されているのは、カセットアダプタ１が装着されるカセットテープ再生装置のカセットテープ挿入口の挿入方向が異なる場合に対応できるようにしたものである。導線の先端に設けられているプラグは、カセットアダプタ１へ信号を入力する機器、例えばコンパクトディスク再生装置の出力ジャック（例えば、ヘッドホーンジャック）に接続される。コンパクトディスク再生装置からの信号は、オーディオ回路へ入力され、前述の磁気ヘッド５８に出力される。
【００３３】
[カセットアダプタの動作]
次に、以上のように構成された第１の実施例のカセットアダプタ１の動作について説明する。以下の動作説明は、第１の実施例のカセットアダプタ１を再生ヘッドを有するカセットテープ再生装置にカセットテープの代わりに装着したときの動作である。
図１に示した第１の実施例のカセットアダプタ１をカセットテープ再生装置に装着すると、表側ケース２と裏側ケース４で構成されたハウジング１２０のリール軸用の孔６，８にカセットテープ再生装置のリール軸（図示なし）が挿入される。このリール軸は、各リールハブ２８，３０の内周面に形成された６個の突起２８ｂ，３０ｂに係合して、リールハブ２８，３０を回転駆動する。上記回転駆動動作と同時に、ハウジング１２０のキャプスタン挿入用の孔１２に挿入されたカセットテープ再生装置のキャプスタン（図示なし）は、疑似テープ４６を介してハウジング１２０の前面開口６４ｃから挿入されるピンチローラ（図示なし）と当接する。疑似テープ４６はカセットテープ再生装置のキャプスタンとピンチローラに挟持されて、キャプスタンの回動によって図１の右方向に送り出される。この疑似テープ４６の移動により、ハウジング１２０内の左右２個のリール２４，２６は回転する。疑似テープ４６はリール２４，２６の外周面に設けられたすべり防止のリールゴム２２と接触しているため、左右２個のリール２４，２６は滑動することなくほぼ同じ速度で回転する。
【００３４】
各リール２４，２６の内側に形成されている３個の突起２４ａ，２６ａは、各リールハブ２８，３０の３個の切り欠き２８ａ，３０ａと係合しているため、リール２４，２６の回転によりリールハブ２８，３０は回転トルクが付与され回転する。このように、リールハブ２８，３０には疑似テープ４６の駆動力が働いているため、カセットテープ再生装置のリール軸が高速で空転することが防止されている。従って、リール軸の回転に異常がないかを検出するセンサーを有するカセットテープ再生装置において、カセットテープ駆動メカニズムが自動停止することがない。
上記のようにカセットテープ再生装置に装着されたカセットアダプタ１において、ポータブルのコンパクトディスク再生装置からの信号は、コンパクトディスク再生装置の出力端子（ヘッドフォン端子）に接続されたプラグと導線を介して電気回路基板７０のオーディオ回路に入力される。オーディオ回路に入力された信号は、所望の信号に変換されて磁気ヘッド５８に印加されている。
【００３５】
上記のようにカセットアダプタ１がカセットテープ再生装置に装着された状態において、カセットテープ再生装置を再生状態にしたときの動作について図６を用いて説明する。図６は磁気ヘッド５８とカセットテープ再生装置の再生ヘッドとの結合状態を説明するための図である。図６の（ａ）はカセットアダプタ１の開口６４ａに挿入されたカセットテープ再生装置の再生ヘッド９０を示す側面断面図である。図６の（ａ）に示すように、カセットテープ再生装置を再生状態にしたとき、再生ヘッド９０はカセットアダプタ１の開口６４ａにおいて矢印Ｘ２方向に前進する。この前進動作は、カセットテープ再生装置の再生ヘッド９０が、本来挿入されたカセットテープの磁気テープに当接するための動作である。
【００３６】
上記再生ヘッド９０の前進動作において、ダミーテープ片５０，５２のテーパー部５０ａ，５２ａがカセットテープ再生装置のテープガイド９２と係合し、ダミーテープ片５０，５２は所望の位置にテープガイド９２により案内される。もし磁気ヘッド５８と再生ヘッド９０のテープ幅方向（上下方向）の位置が異なるとき、ダミーテープ片５０，５２がテープガイド９２に案内されて移動し、磁気ヘッド５８と再生ヘッド９０はテープ幅方向において一致した位置に配置される。たとえば、テープガイド９２がダミーテープ片５０，５２より多少上方（図６の（ａ）におけるＺ２方向）に寄っていたとすると、テープガイド９２がダミーテープ片５０，５２の下側のテーパー部５０ａ，５２ａと当接し、ダミーテープ片５０，５２は上方に移動する。このダミーテープ片５０，５２の上方への移動にともなって磁気ヘッド５８が上方（図６の（ａ）のＺ２方向）へ移動する。したがって、磁気ヘッド５８のヘッドコア５８ａ，５８ｂの位置は、再生ヘッド９０のヘッドコアの位置と対向する位置となる。
【００３７】
上記のように磁気ヘッド５８を有するヘッドカバー５４が所望の位置に移動するとき、ヘッドカバー５４の上面はヘッドスプリング６２のばね片６２ｄによって裏側ケース２に押し付けるように矢印Ｚ１方向に付勢されている（図２参照）。上記ヘッドカバー５４の移動動作において、ダミーテープ片５０，５２の幅寸法がテープガイド９２の幅寸法より狭いとき、ヘッドカバー５４がヘッドスプリング６２のばね片６２ｄによってテープガイド９２の基準面側に常に押圧されるていので、磁気ヘッド５８は再生ヘッド９０に対して正確なヘッド位置に保持される。
【００３８】
図６の（ｂ）は、再生ヘッド９０と磁気ヘッド５８のそれぞれの中心がテープ走行方向にずれている場合を示す平面図である。図６の（ｂ）に示すように、再生ヘッド９０の中心と磁気ヘッド５８の中心がずれていたとき、再生ヘッド９０の矢印Ｘ２の方向への前進によって、再生ヘッド９０はヘッドカバー５４の前面に形成された一方のヘッドガイド６６に当接する。再生ヘッド９０がヘッドガイド６６に当接すると、ヘッドカバー５４は再生ヘッド９０に対してヘッドガイド６６の前面の曲率半径に添った方向（図６の（ｂ）における矢印Ａ方向）の力を受ける。このため、磁気ヘッド５８を保持するヘッドカバー５４は、図６の（ｃ）に示すように、磁気ヘッド５８と再生ヘッド９０がテープ走行方向においてそれぞれの中心軸が一致する位置に移動する。図６の（ｃ）は再生ヘッド９０と磁気ヘッド５８のテープ走行方向におけるそれぞれの中心が一致している場合を示す平面図である。
【００３９】
以上のように、第１の実施例のカセットアダプタ１がカセットテープ再生装置に装着されて、カセットアダプタ１の磁気ヘッド５８から伝送すべき信号が磁界によってカセットテープ再生装置の再生ヘッド９０に入力されるとき、磁気ヘッド５８を保持するヘッドカバー５４の前面に設けたダミーテープ片５０，５２が再生ヘッド９０のテープガイド９２に挿入されて、磁気ヘッド５８は再生ヘッド９０に対する位置合わせが行われる。このように、ダミーテープ片５０，５２とテープガイド９２との係合により、ヘッドカバー５４は磁気ヘッド５８を再生ヘッド９０に対してテープ幅方向において正しい位置に導く。また、ヘッドガイド６６，６８と再生ヘッド９０との当接により、ヘッドカバー５４はテープ走行方向において正しい位置に導かれる。結果として、磁気ヘッド５８と再生ヘッド９０は、双方のヘッドコア間の距離が最も近く、またテープ幅方向、及びテープ走行方向のいずれにおいても位置ずれなく配置できる。
【００４０】
第１の実施例において、磁気ヘッド５８を有するヘッドカバー５４は、ヘッドスプリング６２により移動可能に保持されているため、カセットアダプタ１に挿入されたカセットテープ再生装置の再生ヘッド９０に対する位置調整が容易である。
また、第１の実施例における磁気ヘッド５８を有するヘッドカバー５４は、ヘッドスプリング６２のばね片６２ｄによって裏側ケース２に押し付ける方向に付勢されているので、再生ヘッド９０のテープガイド９２とダミーテープ片５０，５２との間に隙間を形成することにより、磁気ヘッド５８と再生ヘッド９０を正確に位置合わせすることができる。これは、カセットテープ再生装置に磁気テープが挿入されたとき、その磁気テープの下端を基準に磁気ヘッド５８の位置合わせが行われていることを利用したものである。
【００４１】
《第２の実施例》
次に、本発明のカセットアダプタの第２の実施例について添付の図面を用いて説明する。図７は本発明の第２の実施例のカセットアダプタにおけるヘッドカバーの構成を示す斜視図であり、図７の（ａ）は組立前の状態を示す斜視図であり、図７の（ｂ）は組立後の分解斜視図である。なお、第２の実施例のカセットアダプタは、後述するヘッドカバー７２を除き、前述の第１の実施例のカセットアダプタと実質的に同じ構成であり、同じ機能、構成を有するものには同じ符号を付す。以下、第１の実施例と異なる部分について説明する。
図７の（ａ）に示すように、ヘッドカバー７２の中央部には磁気ヘッド５８を収容する空所７４が形成されている。この空所７４は少なくとも磁気ヘッド５８の縦横方向に関してやや大きく形成されている。
【００４２】
第２の実施例のカセットアダプタにおけるヘッドカバー７２は、前述の第１の実施例と同様に、前方両端にダミーテープ片７６，７８が形成されている。ダミーテープ片７６，７８の上下端面にはテーパー部７６ａ，７８ａが形成されており、カセットテープ再生装置のテープガイドに挿入されやすいよう構成されている。このダミーテープ片７６，７８の内側には、対向する方向に突出したリブ８０，８２が形成されている。このリブ８０，８２は、ヘッドカバー７２の背面から挿入された磁気ヘッド５８の位置決めを行うものである。
第２の実施例のヘッドカバー７２には、その上面側にヘッドスプリング６２のばね片６２ｄ（図２参照）をガイドするヘッドスプリングガイド８４が設けられている。第２の実施例のカセットアダプタにおいて上記ヘッドカバー７２以外の構成要素は前述の第１の実施例のカセットアダプタの構成要素と同じものを用いているので、その説明は省略する。
【００４３】
次に、上記のように構成された第２の実施例におけるヘッドカバー７２の組立方法について説明する。
図７の（ａ）に示すヘッドカバー７２の空所７４に磁気ヘッド５８を背面側から挿入し、磁気ヘッド５８をリブ８０，８２の内面に当接させて磁気ヘッド５８の前後方向の位置を決める。次に、ダミーテープ片７６，７８に対する磁気ヘッド５８の位置を決める。このとき、ダミーテープ片７６，７８の延長上に磁気ヘッド５８のヘッドコア５８ａ，２８ｂが所定距離を有して対向するように正確に位置決めする。磁気ヘッド５８の位置決めを行った後、空所７４内に配置された磁気ヘッド５８と空所７４の壁面との隙間に接着剤を入れて磁気ヘッド５８を固定する。この磁気ヘッド５８とヘッドカバー７２との固定においては、たとえば、まず瞬間接着剤により部分的に互いに固定した後、残った隙間に二液型の接着剤を流し込んで時間をかけて固定する等の公知の固着技術を用いることができる。
このように組み立てられたヘッドカバー７２は、前述の第１の実施例のヘッドカバー５４の代わりに用いることができ、ヘッドスプリングガイド８４が上側となるように取り付けられる。
【００４４】
図８は、第２の実施例のヘッドカバー７２をカセットアダプタに取り付けた状態を示す平面図である。図８において、ヘッドスプリングガイド８４の溝にはヘッドスプリング６２のばね片６２ｄが挿入されており、ヘッドカバー７２はばね片６２ｄにより裏側ケース２に押し付けられる方向に付勢されている。
また、前述の第１の実施例と同じように、カセットアダプタが装着されたカセットテープ再生装置の再生ヘッド９０が再生状態においてカセットアダプタ内に進入していくとき、再生ヘッド９０の支持部材９１と一体的に形成されたテープガイド９２とダミーテープ片７６，７８が係合し、ヘッドカバー７２が所望の位置に導かれる。
【００４５】
上記のように構成された第２の実施例のカセットアダプタにおいて、カセットテープ再生装置に装着されたときの動作は、前述の第１の実施例と同様である。従って、第１の実施例を説明した図６の（ｂ）におけるダミーテープ片５０，５２に代えて第２の実施例のダミーテープ片７６，７８を設けたものと同様の動作を行う。この結果、磁気ヘッド５８は再生ヘッド９０に対してテープ走行方向において図８に示すように配置される。再生ヘッド９０が左右のリブ８０，８２の前面の何れかに当接すると、前述の図６の（ｂ）に示した場合と同様に、磁気ヘッド５８と再生ヘッド９０の両方のヘッド中心線の位置が一致するように、ヘッドカバー７２が移動する。
【００４６】
第２の実施例のカセットアダプタにおいて、ヘッドスプリングガイド８４と係合しているヘッドスプリング６２のばね片６４ｄは、左右方向に撓むよう狭い幅に形成されている。このため、ヘッドカバー７２の左右方向の移動に対して、ばね片６４ｄのたわみで追随することができる。また、図８に示すように、ヘッドカバー７２はヘッドスプリング６２のばね片６２ｂ，６２ｃによりハウジングの前後方向（図８における矢印Ｘ１と矢印Ｘ２の方向）にスライド可能に弾性的に保持されている。このため、ヘッドカバー７２は進入してきた再生ヘッド９０との接触により移動して、磁気ヘッド５８が再生ヘッド９０に対して所望の位置に配置される。
上記のように、第２の実施例によれば、ヘッドカバー７２に対する磁気ヘッド５８の組み込み時の位置決めがリブ８０，８２により容易に行うことができ、再生動作時における磁気ヘッド５８の再生ヘッド９０に対する位置調整が自動的に行われるカセットアダプタを得ることができる。
【００４７】
《第３の実施例》
次に、本発明のカセットアダプタの第３の実施例について添付の図面を用いて説明する。なお、前述の第１の実施例及び第２の実施例のカセットアダプタと実質的に同じ機能、構成を有するものには同じ符号を付して、その説明は省略する。図９は第３の実施例のカセットアダプタにおけるリール２４，２６の駆動機構を示す平面図である。図９において駆動機構以外の構成要素は省いているが、これらの構成要素は前述の第１の実施例及び第２の実施例のカセットアダプタと実質的に同じ構成である。
図９に示すように、第３の実施例のカセットアダプタは、各リール２４，２６にギヤ２４ｄ，２６ｄが形成されている。これらの２つギヤ２４ｄ，２６ｄと噛み合うギヤ２５ａを有する中間リール２５が２つのリール２４，２６の間に設けられている。
【００４８】
エンドレスの疑似テープ４６は、左右のリール２４，２６及び中間リール２５等に掛け回わされている。
図９に示すように、疑似テープ４６は左側のリール２４の外周を反時計方向に掛け回され、次に中間リール２５の外周を時計方向に掛け回され、ローラ２０ｂ、１６ｄの各外周を反時計方向に掛け回されている。
そして、疑似テープ４６は、ローラ１６ｄと右側のリール２６との間に配置されたテンション用ローラ１１６に時計方向に掛け回わされ、右側のリール２６の外周に反時計方向に掛け回され、左側のリール２４に戻っている。ローラ１６ｄと右側のリール２６との間にあるテンション用ローラ１１６により、疑似テープ４６には張力が与えられている。
【００４９】
ローラ１１６はテンションレバー１３８に設けたピン１４２により回動自在に軸支されていおり、テンションレバー１３８はテンションスプリング１４４により図９の矢印Ｙ方向に付勢されている。このため、疑似テープ４６にはテンションスプリング１４４の付勢力により張力が与えられている。このため、第３の実施例においては、前述の第１の実施例において用いたローラ１６ｄ、テンションレバー３８、テンションスプリング４４等の疑似テープ４６に張力を与えるための機構はない。また、第３の実施例においては、ローラ１６ａ、１６ｂ及び２０ａは設けられていない。
【００５０】
中間リール２５は、そのギヤ２５ａが各リール２４，２６のギヤ２４ｄ，２６ｄと歯合しているため、各リール２４，２６と同期して回転するように構成されており、疑似テープ４６が掛け回されるそれぞれの外周面の周速を一致させるよう各ギヤ比が設定されている。このため、エンドレスの疑似テープ４６が掛け回わされた各リール２４，２６は、前述の第１の実施例のカセットアダプタと同様に、同じ周速度で回転する。このため、疑似テープ４６は各リール２４，２６における外周面上を滑ることがなく、疑似テープ４６の移動により各リール２４，２６は確実に回転する。また、第３の実施例においても、前述の第１の実施例と同様に疑似テープ４６とリールとの滑りを防止するためのリールゴム２２（図３参照）が設けられている。
【００５１】
図１０は第３の実施例における中間リール２５の近傍を示す断面図である。図１０に示すように、各リール２４，２６のギヤ２４ｄ，２６ｄと歯合するギヤ２５ａを有する中間リール２５は、裏側ケース２に形成したピン２３に回動自在に軸支されている。中間リール２５には、ピン２３が挿入される中心孔を有するハブ部２５ｂと、その回りを取り囲む側壁部２５ｃとが形成されている。
この中間リール２５には逆回転防止用のストッパー片２７が設けられている。逆回転防止用のストッパー片２７は左右のリール２４，２６の逆回転を防止するものであり、リール２４，２６を同じ方向にのみ回転させるために設けられている。図９に示すように、逆回転防止用のストッパー片２７の一端側には、三角形状に折り曲げられた保持部２７ａが形成されており、この保持部２７ａが中間リール２５のハブ部２５ｂに圧入嵌合されている。中間リール２５の側壁部２５ｃを乗り越えるように形成された先端当接部２７ｂが逆回転防止用のストッパー片２７の他端側に形成されている。この先端当接部２７ｂは左側のリール２４のギヤ２４ｄと係合可能な位置と、ストッパー２９と当接可能な位置との間の可動範囲内を移動するよう構成されている。
【００５２】
上記のように配置された逆回転防止用のストッパー片２７は、前記可動範囲において、中間リール２５の回転とともに回転するよう中間リール２５のハブ部２５ｂに装着されている。ただし、ストッパー片２７は、このストッパー片２７に所定の回転トルク以上の力が中間リール２５の回転方向と逆の方向に加わったとき、保持部２７ａが中間リール２５のハブ部２５ｂと摺動するように保持部２７ａがハブ部２５ｂを挟着している。従って、中間リール２５が図９における時計方向に回転したとき、ストッパー片２７の先端当接部２７ｂはストッパー２９に当接し、ストッパー片２７の保持部２７ａが中間リール２５のハブ部２５ｂを摺動する。反対に、中間リール２５が図９における反時計方向に回転したとき、ストッパー片２７の先端当接部２７ｂは左側のリール２４のギヤ２４ｄと係合し、左側のリール２４はその回転が禁止される。
【００５３】
[逆回転防止用のストッパー片の動作]
以下、上記ストッパー片２７の動作の詳細について説明する。
図１１と図１２は上記のように構成された第３の実施例のカセットアダプタにおけるリール２４，２６と中間リール２５の動作を示す平面図である。図１１と図１２において、リール２４，２６と中間リール２５の動作を説明するための主要構成要素のみを図示する。
【００５４】
図１１に示すエンドレスの疑似テープ４６は矢印Ｂ方向に走行している。このため、右側のリール２６及び左側のリール２４は反時計方向に回転し、中間リール２５は時計方向に回転する。このとき、各リール２４，２６のギヤ２４ｄ，２６ｄは中間リール２５のギヤ２５ａと歯合し、リール２４，２６と中間リール２５は同じ周速度で回転している。このように中間リール２５が時計方向に回転しているとき、ストッパー片２７は中間リール２５のハブ部２５ｂとの摩擦力により時計方向に回転する。しかしながら、ストッパー片２７の先端当接部２７ｂは、可動範囲の一方の終端であるストッパー２９に当接し、時計方向の回転が止められる。ストッパー２９の回転が停止した後においても、中間リール２５は一定の回転トルクの駆動力で回転しているため、中間リール２５は更に回動動作を騒音を発生することなく継続する。このため、中間リール２５のハブ部２５ｂとストッパー片２７の保持部２７ａとの間には滑りが生じ、中間リール２５は疑似テープ４６の走行に応じて時計方向に継続して回転する。この動作状態を図１１に示す。
【００５５】
上記のように、ストッパー片２７の保持部２７ａは、中間リール２５のハブ部２５ｂに圧入嵌合されているが、一定の回転トルク以上がストッパー片２７に付加されたときは保持部２７ａとハブ部２５ｂがその力により摺動するよう取り付けられている。
中間リール２５が駆動される一定の回転トルクとは、疑似テープ４６がカセットテープ再生装置のキャプスタンとピンチローラとに挟持されて走行される駆動力により発生し、ストッパー片２７の先端当接部２７ｂがストッパー２９に当接した状態において、ストッパー片２７が中間リール２５との間で摺動可能な回転トルクのことをいう。中間リール２５の回転トルクは、疑似テープ４６とリール２４，２６及び中間リール２５との間の摩擦力により決定され、ストッパー片２７の可動範囲においてストッパー片２７と中間リール２５が共に回動できる力があれば充分である。
【００５６】
図１２に示すエンドレスの疑似テープ４６は矢印Ｃ方向に走行している。このため、右側のリール２６及び左側のリール２４は時計方向に回転し、中間リール２５は反時計方向に回転する。このとき、各リール２４，２６のギヤ２４ｄ，２６ｄは中間リール２５のギヤ２５ａと歯合し、リール２４，２６及び中間リール２５は同じ周速度で回転している。このように中間リール２５が反時計方向に回転しているとき、ストッパー片２７は中間リール２５のハブ部２５ｂとの摩擦力により反時計方向に回転する。この結果、ストッパー片２７の先端当接部２７ｂは、可動範囲の一方の終端である左側のリール２４のギヤ２４ｄに当接する。リール２４のギヤ２４ｄは時計方向に回転しているため、先端当接部２７ｂとギヤ２４ｄは噛み込む方向に作用する。この結果、左側のリール２４の時計方向の回転は禁止され、中間リール２５の反時計方向の回転が止められる。同時に、中間リール２５のギヤ２５ａを介して右側のリール２６の回転も止められる。この回転停止状態を図１２に示す。
【００５７】
[カセットアダプタの動作]
次に、以上のように構成された第３の実施例のカセットアダプタをオートリバース機構を有するカセットテープ再生装置に装着した場合の動作について説明する。以下の説明は、２つのトラックを有する磁気ヘッド５８から伝送すべき信号を磁界によってカセットテープ再生装置の再生ヘッドに伝送する場合について説明する。
まず初めに、図１１に示したように、リール２４、２６が正転方向（図１１において反時計方向）に動作するときについて説明する。この正転方向の動作の時、磁気ヘッド５８のヘッドコアの位置と再生ヘッドの再生機能のあるヘッドコアの位置は、同一トラック上、すなわち同じ位置にある。この場合、カセットアダプタの疑似テープ４６は図１１の矢印Ｂ方向に走行する状態であり、前述したように中間リール２５が時計方向に回転し、中間リール２５は疑似テープ４６の走行に応じて継続して回転している。また、２つのリール２４，２６も連動して反時計方向に継続して回転している。
したがって、信号伝送用の磁気ヘッド５８からの伝送すべき信号は、カセットテープ再生装置の再生ヘッドに向けて継続して伝送することができる。
【００５８】
一方、リール２４、２６が逆転方向（図１２において時計方向）に動作するとき、磁気ヘッド５８のヘッドコアの位置と再生ヘッドの再生機能のあるヘッドコアの位置は同一トラック上にない。この場合、疑似テープ４６は図１２の矢印Ｃ方向に走行する状態であり、前述したように中間リール２５が反時計方向に回転して、ストッパー片２７とギヤ２４ｄとの係合により、リール２４，２６の回転は禁止される。このため、カセットテープ再生装置のオートリバース機構がテープエンドを検出したときと同様の判断を行い、テープ走行を正転方向に切り換える。この切り換え動作によって、磁気ヘッド５８のヘッドコアの位置と再生ヘッドの再生機能のあるヘッドコアの位置が一致し、互いに同一トラック上となる。この結果、疑似テープ４６が図１１の矢印Ｂ方向に走行するため、中間リール２５は疑似テープ４６の走行に応じて時計方向に回転を続ける。従って、信号伝送用の磁気ヘッド５８から信号は、磁界によってカセットテープ再生装置の再生ヘッドに伝送される。
【００５９】
一方、第３の実施例のカセットアダプタが裏向けにカセットテープ再生装置に装着されたときも、上記の図１２に示した動作と同じように、磁気ヘッド５８のヘッドコアの位置を再生ヘッドのヘッドコアの位置に合わせるようオートリバース機構が動作する。従って、カセットアダプタが裏向けに装着されたとき、信号伝送ができず、再生できないという従来のカセットアダプタにおける問題点は、第３の実施例のカセットアダプタにおいて回避することができる。
以上のように、第３の実施例のカセットアダプタをオートリバース機構を有するカセットテープ再生装置に装着した状態において、再生ヘッドのヘッドコアの位置が磁気ヘッド５８から信号を伝送し得ない位置のとき、リールの回転を禁止してテープ走行方向を逆転させている。また、第３の実施例のカセットアダプタをカセットテープ再生装置に装着した状態において、信号出力用の磁気ヘッド５８がカセットテープ再生装置の再生ヘッドへ信号伝送可能なとき、リールは回転状態を続けてカセットアダプタからの信号を再生している。このため、第３の実施例のカセットアダプタは、２つのトラックの磁気ヘッドを用いた構成であっても、オートリバース機構を有するカセットテープ再生装置に対応することができる。
【００６０】
《第４の実施例》
次に、本発明のカセットアダプタの第４の実施例について説明する。
前述の第１の実施例又は第２の実施例においては、リール２４，２６の疑似テープとの接触面にリールゴム２２（図３参照）を設けたが、第４の実施例のカセットアダプタにおいては、リールゴムを用いずにエンドレスの疑似テープを高摩擦係数の材料により形成して、リールと疑似テープ間の摩擦係数を高めている。このため、リールは疑似テープの走行動作により、滑ることなく確実に回動する。
以下に、高摩擦係数を有する具体的な疑似テープについて添付の図１３を用いて説明する。なお、前述の第１の実施例、第２の実施例、及び第３の実施例のカセットアダプタと実質的に同じ機能、構成を有するものには同じ符号を付して、その説明は省略する。図１３は第４の実施例のカセットアダプタにおける右側のリール２６と疑似テープ４７を示す斜視図である。図１３において図示した構成以外の構成は、前述の第１の実施例、第２の実施例、及び第３の実施例のカセットアダプタと実質的に同じ構成である。
【００６１】
図１３に示すように、リール２６の外周には、複数のほぼ円錐状の突起２６ｅが等間隔で配設されている。図１３には右側のリール２６のみを表示したが、左側のリールにも同じように円錐状の突起が等間隔で形成されている。リール２６の外周に掛け回されるエンドレスの疑似テープ４７には、突起２６ｅの中心間の距離と一致した間隔で多数のパーフォレーション４７ａが等間隔で形成されている。したがって、エンドレスの疑似テープ４７のパーフォレーション４７ａがリール２６の突起２６ｅと確実に係合し、疑似テープ４７の走行動作により確実にリール２６は回転する。このように第４の実施例のカセットアダプタは構成されているため、第４の実施例のカセットアダプタにおいてはテープとリールとの滑動状態が確実に防止されている。
第４の実施例において、複数の突起２６ｅの間隔と複数のパーフォレーション４７ａの間隔が多少ずれて形成されても疑似テープ４７がリール２４，２６の突起２６ｅと係合するように、パーフォレーション４７ａの形状は長円形にするのが好ましい。
【００６２】
第４の実施例における突起２６ｅを設けたリール２６とパーフォレーション４７ａを形成した疑似テープ４７は、前述の第１の実施例，第２の実施例，及び第３の実施例のカセットアダプタに用いて同様に動作させることができる。
前述の各実施例において例示したカセットアダプタは、本発明の一例であり、本発明のカセットアダプタはさまざまなものに変形にすることができ、例えば、部品の形、及び数量等は例示のものに限定されるものではない。
本発明のカセットアダプタは第１の実施例から第４の実施例に示した各部分を適宜組み合わせて用いることができる。
【００６３】
前述の各実施例においては、コンパクトカセットテープ及びそれを用いた機器について説明したが、コンパクトカセットテープに限定されず、他のカセットテープ及びそれを用いた機器にも適用される。
また、本発明のカセットアダプタに入力される信号のソースは、コンパクトディスク再生装置に限定されるものではなく、オーディオ信号を発生し得るあらゆる機器を対象とすることができる。
なお、前述の実施例においてはリールの逆回転防止手段として中間リール、ストッパー片、ストッパー等により構成された逆回転防止用ストッパー手段を用いたが、リールを回転可能に支持するハウジングの支持部に一方向クラッチを設けても同様の効果を奏する。
発明をある程度の詳細さをもって好適な形態について説明したが、この好適形態の現開示内容は構成の細部において変化してしかるべきものであり、各要素の組合せや順序の変化は請求された発明の範囲及び思想を逸脱することなく実現し得るものである。
【００６４】
【発明の効果】
以上のように、本発明のカセットアダプタにおいては、エンドレスの疑似テープがカセット再生装置のキャプスタン及びピンチローラによってほぼ一定速度で駆動され、疑似テープが掛け回されるリールが滑動することなく回転するため、当該カセットアダプタが装着されたカセットテープ再生装置はテープが切れたと誤った判断をすることがなく、カセットアダプタの自動停止もしくは自動吐き出しという誤動作を行うことがない。
【００６５】
本発明のカセットアダプタは、逆回転防止手段が設けられているため、当該カセットアダプタをオートリバース機構を有するカセットテープ再生装置に装着した場合において、信号出力用の磁気ヘッドがカセットテープ再生装置の再生ヘッドへ信号を伝送できない位置にあるとき、自動的にリールの回転を禁止してテープ走行方向を逆転させ、信号出力用の磁気ヘッドをカセットテープ再生装置の再生ヘッドへ信号伝送可能な位置に配置することができる。
本発明のカセットアダプタは、リールの外周面に複数の突起を形成し、この突起と係合するようにエンドレスの疑似テープに複数のパーフォレーションが形成されているため、疑似テープの走行動作により確実にリールは回転し、テープとリールとの滑動が確実に防止されている。
【図面の簡単な説明】
【図１】本発明の第１の実施例のカセットアダプタのハウジングの内部構成を示す平面図である。
【図２】第１の実施例のカセットアダプタのハウジングの内部構成を示す斜視図である。
【図３】第１の実施例のカセットアダプタの構成を示す分解斜視図である。
【図４】第１の実施例のカセットアダプタにおける磁気ヘッドを有するヘッドカバーを示す斜視図である。
【図５】第１の実施例のカセットアダプタにおける磁気ヘッドを有するヘッドカバーを示す分解斜視図である。
【図６】第１の実施例のカセットアダプタにおける磁気ヘッドとカセットテープ再生装置の再生ヘッドとの結合状態を示す説明図である。
【図７】本発明の第２の実施例のカセットアダプタにおける磁気ヘッドを有するヘッドカバーを示す斜視図（ａ）と、第２の実施例のカセットアダプタにおけるヘッドカバーを示す分解斜視図（ｂ）である。
【図８】第２の実施例のカセットアダプタにおける磁気ヘッドとカセットテープ再生装置の再生ヘッドとの結合状態を示す平面図である。
【図９】本発明の第３の実施例のカセットアダプタにおけるリールの駆動機構を示す平面図である。
【図１０】第３の実施例における中間リールの近傍を示す断面図である。
【図１１】第３の実施例のカセットアダプタにおけるリールと中間リールの正転方向の動作を示す平面図である。
【図１２】第３の実施例のカセットアダプタにおけるリールと中間リールの逆転方向の動作を示す平面図である。
【図１３】本発明の第４の実施例のカセットアダプタにおける右側のリールと疑似テープを示す斜視図である。
【図１４】従来のカセットアダプタを示す平面図である。
【図１５】従来のカセットアダプタにおける電気回路図である。
【符号の説明】
１  カセットアダプタ
２  裏側ケース
４  表側ケース
２４  リール
２６  リール
３８  テンションレバー
４４  テンションスプリング
４６  疑似テープ
５０  ダミーテープ片
５２  ダミーテープ片
５４  ヘッドカバー
５８  磁気ヘッド
６２  ヘッドスプリング
６６  ヘッドガイド
６８  ヘッドガイド
１２０  ハウジング
【図１】
0003657587.tif 000002
【図２】
0003657587.tif 000003
【図３】
0003657587.tif 000004
【図４】
0003657587.tif 000005
【図５】
0003657587.tif 000006
【図６】
0003657587.tif 000007
【図７】
0003657587.tif 000008
【図８】
0003657587.tif 000009
【図９】
0003657587.tif 000010
【図１０】
0003657587.tif 000011
【図１１】
0003657587.tif 000012
【図１２】
0003657587.tif 000013
【図１３】
0003657587.tif 000014
【図１４】
0003657587.tif 000015
【図１５】
0003657587.tif 000016